(57)【特許請求の範囲】
【請求項１】
第１の被写体の像を形成する第１光学系と、
前記第１光学系の画角を調整する画角調整部と、
前記第１の被写体の少なくとも一部を含む被写体の像を形成する第２光学系を有する交換レンズ鏡筒が内蔵するメモリから前記交換レンズ鏡筒の種類に対応するレンズ情報を取得する制御部とを含み、
前記制御部は、前記第２光学系の画角が広くなるほど前記第１光学系の画角が広くなり、前記第２光学系の画角が狭くなるほど前記第１光学系の画角が狭くなるように前記画角調整部を制御し、かつ、
前記レンズ情報に基づいて前記交換レンズ鏡筒がテレ系のズームレンズであると判断したとき、前記レンズ情報に基づいて前記交換レンズ鏡筒がワイド系のズームレンズであると判断したときよりも、前記第１光学系の画角を前記第２光学系の画角で除算した値が大きくなるように前記画角調整部を制御することを特徴とする撮影装置。
【請求項２】
請求項１に記載された撮影装置であって、
前記制御部は、前記第１光学系の画角が前記第２光学系の画角よりも広くなるように、前記画角調整部を制御する
ことを特徴とする撮影装置。
【請求項３】
請求項１又は請求項２に記載された撮影装置であって、
前記制御部は、前記第１光学系の画角と前記第２光学系の画角との比が所定の値になるように、前記画角調整部を制御する
ことを特徴とする撮影装置。
【請求項４】
請求項１から請求項３までの何れか１項に記載された撮影装置であって、
前記制御部は、前記第１光学系の焦点距離と前記第２光学系の焦点距離との比が所定の値になるように、前記画角調整部を制御する
ことを特徴とする撮影装置。
【請求項５】
請求項１から請求項４までの何れか１項に記載された撮影装置であって、
前記第１光学系及び第２光学系の少なくとも一方の画角に関する情報を記録した記録部を有し、
前記制御部は、前記記録部に記録された前記画角に関する情報に応じて、前記画角調整部を制御する
ことを特徴とする撮影装置。
【請求項６】
請求項１から請求項５までの何れか１項に記載された撮影装置であって、
前記第１光学系により形成された前記第１の被写体の像を光電変換する第１撮像素子と、
前記第２光学系により形成された前記被写体の像を光電変換する第２撮像素子とを有し、
前記第２撮像素子の画素数は、前記第１撮像素子の画素数よりも少ない
ことを特徴とする撮影装置。
【請求項７】
請求項６に記載された撮影装置であって、
前記第１撮像素子から得られる画像信号、及び前記第２撮像素子から得られる画像信号を用いて、デジタル信号に変換後の信号処理を個別に行う第１、及び第２の画像処理部を有する
ことを特徴とする撮影装置。
【発明の詳細な説明】
【技術分野】
【０００１】
本発明は、撮影装置に関する。
【背景技術】
【０００２】
従来から、複数の光学系を有する撮影装置が知られる。このような撮影装置の一例として、特許文献１の電子カメラは、被写体撮影用のメインカメラと、撮影者自身を撮影する、いわゆる自分撮り用のサブカメラとを有する。なお、サブカメラを自分撮り用として使用する場合には、サブカメラと撮影者との距離はほぼ決まった値となるため、サブカメラにズーム機能は備えられていなかった。
【０００３】
ところが、上述した電子カメラにおいて、サブカメラをメインカメラと同じ方向に向けて撮影する場合、すなわち、サブカメラを自分撮り用として使用しない場合には、被写体距離は至近から無限まで様々であるため、ズーム機能がないと撮影範囲が固定されてしまい、使い勝手が悪いという問題があった。
【特許文献１】特開２００６−３３６１１号公報
【発明の開示】
【発明が解決しようとする課題】
【０００４】
本発明の課題は、好適な撮影を実現できる撮影装置を提供することである。
【課題を解決するための手段】
【０００５】
一つの観点によれば、撮影装置は、第１の被写体の像を形成する第１光学系と、第１光学系の画角を調整する画角調整部と、第１の被写体の少なくとも一部を含む被写体の像を形成する第２光学系を有する交換レンズ鏡筒が内蔵するメモリから交換レンズ鏡筒の種類に対応するレンズ情報を取得する制御部とを含み、制御部は、第２光学系の画角が広くなるほど第１光学系の画角が広くなり、第２光学系の画角が狭くなるほど第１光学系の画角が狭くなるように画角調整部を制御し、かつ、レンズ情報に基づいて交換レンズ鏡筒がテレ系のズームレンズであると判断したとき、レンズ情報に基づいて交換レンズ鏡筒がワイド系のズームレンズであると判断したときよりも、第１光学系の画角を第２光学系の画角で除算した値が大きくなるように画角調整部を制御する。
【０００６】
なお、好ましくは、制御部は、第１光学系の画角が第２光学系の画角よりも広くなるように画角調整部を制御してもよい。
【０００７】
また、好ましくは、制御部は、第１光学系の画角と第２光学系の画角との比が所定の値になるように、画角調整部を制御しても良い。
【０００８】
また、好ましくは、制御部は、第１光学系の焦点距離と第２光学系の焦点距離との比が所定の値になるように、画角調整部を制御しても良い。
【００１０】
また、好ましくは、第１光学系及び第２光学系の少なくとも一方の画角に関する情報を記録した記録部を有し、制御部は、記録部に記録された画角に関する情報に応じて、画角調整部を制御してもよい。
【００１１】
また、好ましくは、前記第１光学系により形成された前記第１の被写体の像を光電変換する第１撮像素子と、前記第２光学系により形成された前記被写体の像を光電変換する第２撮像素子とを有し、前記第２撮像素子の画素数は、前記第１撮像素子の画素数よりも少なくても良い。
【００１２】
また、好ましくは、第１撮像素子から得られる画像信号、及び第２撮像素子から得られる画像信号を用いて、デジタル信号に変換後の信号処理を個別に行う第１、及び第２の画像処理部を有しても良い。
【発明の効果】
【００１３】
本発明の撮影装置によれば、２つの光学系を用いて好適な撮影を実現することができる。
【発明を実施するための最良の形態】
【００１４】
（第１実施形態）
以下、図面を用いて本発明の第１実施形態について説明する。なお、本実施形態では、本発明の撮影装置の一例として、電子カメラを用いて説明する。図１は、本発明の第１実施形態における電子カメラの外観図である。図１に示すように、電子カメラ１は、カメラボディ１０、サブ光学系２０、メイン光学系３０を備える。なお、サブ光学系２０の光軸とメイン光学系３０の光軸とは平行する。
【００１５】
図２は、本発明の実施形態における電子カメラの構成を示すブロック図である。図２に示すように、電子カメラ１は、サブ光学系２０、レンズ駆動部２２、サブ撮像素子２３、Ａ／Ｄ変換部２４、バッファメモリ２５、画像処理部２６、制御部２７、メイン光学系３０、レンズ駆動部３２、レンズ内蔵メモリ３３、メイン撮像素子３４、Ａ／Ｄ変換部３５、バッファメモリ３６、画像処理部３７、表示部３８、操作部３９、記録Ｉ／Ｆ部４０、記録媒体４１を備える。なお、メイン光学系３０、レンズ駆動部３２、レンズ内蔵メモリ３３は、カメラボディ１０に取り外しが可能な交換レンズ鏡筒に備えられている。
【００１６】
サブ光学系２０は、撮像レンズ２１、不図示の絞りなどを有する。撮像レンズ２１は、サブ撮像素子２３の撮像面に第１の被写体の像を結像する。撮像レンズ２１は、サブ撮像素子２３での結像位置を調節する焦点調節レンズと、焦点距離を調節するズームレンズとを含む複数のレンズ群で構成される。レンズ駆動部２２は、制御部２７の出力に基づいて、撮像レンズ２１の光軸方向の位置を調節する。
【００１７】
サブ撮像素子２３は、撮像レンズ２１を通過した光束による第１の被写体の像を光電変換し、アナログの画像信号を出力する。撮影モードにおいて、サブ撮像素子２３は、後述のレリーズ釦が全押しされると記録用画像（第１の本画像）を撮像する。また、サブ撮像素子２３の出力は、撮影待機時に、後述する制御部２７により撮影シーンの解析に使用される。サブ撮像素子２３の出力は、Ａ／Ｄ変換部２４に接続される。Ａ／Ｄ変換部２４は、サブ撮像素子２３の出力信号のＡ／Ｄ変換を行う。Ａ／Ｄ変換部２４の出力は、画像処理部２６に接続される。
【００１８】
画像処理部２６は、Ａ／Ｄ変換部２４から出力されたデータに各種の画像処理（ホワイトバランス調整、色補間、階調変換処理、輪郭強調処理など）を施す。また、画像処理部２６は、記録媒体４１に画像のデータを記録する前にＪＰＥＧ形式などで圧縮する処理や、圧縮された上記のデータを伸長復元する処理をも実行する。バッファメモリ２５は、画像処理部２６による画像処理の前工程や後工程で画像のデータを一時的に記録する。制御部２７は、所定のシーケンスプログラムにしたがって、電子カメラ１の統括的な制御を行うプロセッサである。また、制御部２７は、撮影時に必要となる各種演算（ＡＦ、ＡＥなど）を実行する。
【００１９】
メイン光学系３０は、撮像レンズ３１、不図示の絞りなどを有する。撮像レンズ３１は、メイン撮像素子３４の撮像面に第２の被写体の像を結像する。撮像レンズ３１は、メイン撮像素子３４での結像位置を調節する焦点調節レンズと、焦点距離を調節するズームレンズとを含む複数のレンズ群で構成される。レンズ駆動部３２は、制御部２７の出力に基づいて、撮像レンズ３１の光軸方向の位置を調節する。レンズ内蔵メモリ３３は、交換レンズ鏡筒の種類を含むレンズ情報を記録する。レンズ内蔵メモリ３３の出力は、制御部２７に接続される。
【００２０】
メイン撮像素子３４は、撮像レンズ３１を通過した光束による第２の被写体の像を光電変換し、アナログの画像信号を出力する。撮影モードにおいて、メイン撮像素子３４は、後述のレリーズ釦が全押しされると記録用画像（第２の本画像）を撮像する。また、メイン撮像素子３４は、撮影待機時にも所定間隔ごとに間引き読み出しでスルー画像を撮像する。メイン撮像素子３４の出力は、Ａ／Ｄ変換部３５に接続される。Ａ／Ｄ変換部３５は、メイン撮像素子３４の出力信号のＡ／Ｄ変換を行う。Ａ／Ｄ変換部３５の出力は、画像処理部３７に接続される。
【００２１】
画像処理部３７は、Ａ／Ｄ変換部３５から出力されたデータに画像処理部２６と同様の画像処理を施す。バッファメモリ３６は、画像処理部３７による画像処理の前工程や後工程で画像のデータを一時的に記録する。表示部３８は、制御部２７の制御により各種の画像を表示する。表示部３８に表示される各種の画像は、サブ撮像素子２３により撮像した第１の本画像、メイン撮像素子３４により撮像した第２の本画像、スルー画像、記録媒体４１に記録した画像、メニュー画面などを含む。操作部３９は、レリーズ釦や操作釦などを有する。レリーズ釦は、撮像動作の指示をユーザから受け付ける。操作釦は、上記のメニュー画面等での操作入力をユーザから受け付ける。なお、操作部３９の状態は制御部２７により検知される。記録Ｉ／Ｆ部４０は、記録媒体４１を接続するためのコネクタが形成される。そして、記録Ｉ／Ｆ部４０は、コネクタに接続された記録媒体４１に対してデータの書き込み／読み込みを実行する。
【００２２】
なお、バッファメモリ２５、画像処理部２６、制御部２７はそれぞれ接続される。また、バッファメモリ３６、画像処理部３７、制御部２７はそれぞれ接続される。また、画像処理部２６、画像処理部３７、記録Ｉ／Ｆ部４０の出力は、表示部３８に接続される。
【００２３】
また、サブ光学系２０の撮影領域の中心とメイン光学系３０の撮影領域の中心とが一致するように、サブ光学系２０の光軸とメイン光学系３０の光軸とは、一致することが好ましい。また、制御部２７は、メイン光学系３０の画角がサブ光学系２０の画角よりも狭くなるように各部を制御する。
【００２４】
ところで、従来から電子カメラや携帯電話などにおいて、通常撮影用のメインカメラの他に自分撮り用のサブカメラを搭載した機種が知られる。しかし、従来の機種では、サブカメラの焦点距離は固定されている。そのため、サブカメラをメインカメラと同じ方向に向けて撮影する場合には、画角や構図を変えることが容易ではなく、画像を表現するための機能としては不十分である。
【００２５】
例えば、メインカメラのレンズを望遠側にズームし、サブカメラのレンズを広角側に固定した場合に、それぞれのカメラにより得られた画像の例を図３に示す。図３に示すように、メインカメラにより得られた画像は頭切れしても、サブカメラにより得られた画像は頭切れしない。しかし、サブカメラの焦点距離は短いため、画像中の主要被写体（図３の例では人物）は小さい。そのため、主要被写体を拡大すると、拡大率が高くなって解像度が落ち、モザイクをかけたような画像となってしまう。
【００２６】
そこで、第１実施形態の電子カメラ１は、メイン光学系３０の焦点距離に対応させて、サブ光学系２０の焦点距離を調節する。これにより、メイン撮像素子３４により撮像した第２の本画像が頭切れなどの失敗であっても、サブ撮像素子２３により撮像した第１の本画像で救うことができる。また、サブ光学系２０の画角に対する主要被写体の大きさが小さくならず、第１の本画像の主要被写体を拡大しても画質が低下するおそれを減らすことができる。
【００２７】
図４は、第１実施形態の電子カメラ１における撮像時の制御部２７の動作を示すフローチャートである。
【００２８】
ステップＳ１で、制御部２７は、撮影モードを開始する。例えば、制御部２７は、メイン撮像素子３４を制御して、スルー画像の撮像を開始する。
【００２９】
ステップＳ２で、制御部２７は、メイン光学系３０の焦点距離を調節する。例えば、制御部２７は、ステップＳ１で撮像したスルー画像のデータに基づいて、レンズ駆動部３２を制御して、撮像レンズ３１の位置を調節する。
【００３０】
ステップＳ３で、制御部２７は、サブ光学系２０の焦点距離を調節する。例えば、制御部２７は、レンズ駆動部２２を制御して、ステップＳ２で調節したメイン光学系３０の焦点距離とサブ光学系２０の焦点距離との比率が所定の値になるように、撮像レンズ２１の位置を調節する。なお、レンズ内蔵メモリ３３に記録した交換レンズ鏡筒の種類に応じて、サブ光学系２０の焦点距離とメイン光学系３０の焦点距離との比率を変更しても良い。例えば、交換レンズ鏡筒がＷＩＤＥ系のズームレンズである場合には、メイン光学系３０の画角は広く、頭切れが少ないと考えられるため、比率を小さくする。一方、交換レンズ鏡筒がＴＥＬＥ系のズームレンズである場合には、手ブレの影響が大きいため、比率を大きくする。
【００３１】
ズームレンズの位置を広角側から望遠側に移動したときのサブ光学系２０およびメイン光学系３０の焦点距離変化の例を図５に示す。なお、ズームポジションは、ズームレンズの位置である。図５に示すように、サブ光学系２０の焦点距離とメイン光学系３０の焦点距離とは比例する。例えば、ズームポジションＡ１、Ａ２、Ａ３におけるサブ光学系２０の焦点距離をｆｓ１、ｆｓ２、ｆｓ３とし、メイン光学系３０の焦点距離をｆｍ１、ｆｍ２、ｆｍ３とすると、ｆｓ１／ｆｍ１＝ｆｓ２／ｆｍ２＝ｆｓ３／ｆｍ３となる。
【００３２】
また、サブ光学系２０およびメイン光学系３０の撮影範囲の例を図６に示す。なお、サブ光学系２０の撮影範囲は、メイン光学系３０の撮影範囲に対して左右、上下が均等（図６の例では、Ｌ１＝Ｌ２、Ｌ３＝Ｌ４）に、約１０〜２０％広くなることが好ましい。
【００３３】
ステップＳ４で、制御部２７は、レリーズ釦が全押しされたか否かを判定する。レリーズ釦が全押しされた場合（ＹＥＳ）には、ステップＳ５に移行する。一方、レリーズ釦が全押しされない場合（ＮＯ）には、ステップＳ２に戻る。これにより、レリーズ釦が全押しされるまでステップＳ２からステップＳ３の処理が繰り返されることとなる。
【００３４】
ステップＳ５で、制御部２７は、サブ撮像素子２３を制御して、第１の本画像を撮像すると同時に、メイン撮像素子３４を制御して、第２の本画像を撮像する。
【００３５】
ステップＳ６で、制御部２７は、画像処理部２６を制御して、ステップＳ５でサブ撮像素子２３により撮像した第１の本画像のデータに画像処理を施す。また、制御部２７は、画像処理部３７を制御して、ステップＳ５でメイン撮像素子３４により撮像した第２の本画像のデータに画像処理を施す。
【００３６】
ステップＳ７で、制御部２７は、ステップＳ６で画像処理を施した第１の本画像のデータと第２の本画像のデータとを記録媒体４１の別々のファイルに記録し、一連の処理を終了する。
【００３７】
第１実施形態の電子カメラは、メイン光学系３０の焦点距離に対応させて、サブ光学系２０の焦点距離を調節する。したがって、第１実施形態の電子カメラによれば、２つの光学系を同じ方向に向けて撮影する場合に、頭切れや構図不良などの失敗を防ぎつつ、所望の画質の画像を得ることができる。
【００３８】
（第２実施形態）
以下、本発明の第２実施形態について説明する。第２実施形態における電子カメラの外観は、図１に示す第１実施形態の電子カメラの外観図と共通し、構成は、図２に示す第１実施形態の電子カメラのブロック図と共通するので重複説明を省略する。
【００３９】
ここで、焦点距離と画角との関係について説明する。一般的な撮像レンズでは、焦点距離と画角との関係は一定になる。そのため、第１実施形態で示したように、メイン光学系３０の焦点距離に対応させて、サブ光学系２０の焦点距離を調節すれば、サブ光学系２０の画角とメイン光学系３０の画角との比率は所定の値になる。しかし、高倍率ズームやインナーフォーカスを搭載した撮像レンズでは、光学上の特性から焦点距離と画角との関係が非線形になりやすい。そこで、第２実施形態の電子カメラ１は、メイン光学系３０の画角に対応させて、サブ光学系２０の画角を調整する。
【００４０】
図７は、第２実施形態の電子カメラ１における撮像時の制御部２７の動作を示すフローチャートである。なお、第２実施形態のレンズ内蔵メモリ３３は、交換レンズ鏡筒の種類を含むレンズ情報のほかに、メイン光学系３０の画角情報のテーブルを記録する。この画角情報のテーブルには、撮像レンズ３１の焦点調節レンズおよびズームレンズの位置と画角とを対応付けたデータが格納される。また、サブ光学系２０の焦点距離と画角との関係は一定になることを前提に説明する。
【００４１】
ステップＳ１１からステップＳ１２において制御部２７は、図４のステップＳ１からステップＳ２と同様の処理を行う。
【００４２】
ステップＳ１３で、制御部２７は、レンズ内蔵メモリ３３に記録した画角情報のテーブルからステップＳ１２で調節した撮像レンズ３１の焦点調節レンズおよびズームレンズの位置に対応する画角を読み出す。
【００４３】
ステップＳ１４で、制御部２７は、サブ光学系２０の画角を調整する。例えば、制御部２７は、レンズ駆動部２２を制御して、ステップＳ１３で読み出したメイン光学系３０の画角とサブ光学系２０の画角との比率が所定の値になるように、撮像レンズ２１の位置を調節する。なお、図４のステップＳ３と同様に、レンズ内蔵メモリ３３に記録した交換レンズ鏡筒の種類に応じて、サブ光学系２０の画角とメイン光学系３０の画角との比率を変更しても良い。
【００４４】
ズームレンズの位置を望遠側から広角側に移動したときのサブ光学系２０およびメイン光学系３０の画角変化の例を図８に示す。なお、ズームポジションは、ズームレンズの位置である。図８に示すように、サブ光学系２０の画角とメイン光学系３０の画角とは比例する。例えば、ズームポジションＢ１、Ｂ２、Ｂ３におけるサブ光学系２０の画角をＡｓ１、Ａｓ２、Ａｓ３とし、メイン光学系の画角をＡｍ１、Ａｍ２、Ａｍ３とすると、Ａｓ１／Ａｍ１＝Ａｓ２／Ａｍ２＝Ａｓ３／Ａｍ３となる。なお、図４のステップＳ３と同様に、サブ光学系２０の撮影範囲は、メイン光学系３０の撮影範囲に対して左右、上下が均等に、約１０〜２０％広くなることが好ましい。
【００４５】
ステップＳ１５からステップＳ１８において制御部２７は、図４のステップＳ４からステップＳ７と同様の処理を行う。
【００４６】
なお、第２実施形態では、サブ光学系２０の焦点距離と画角との関係が一定になる例を示したが、非線形の場合にも対応できるとする。この場合、電子カメラ１は、不図示のメモリなどにサブ光学系２０の画角情報のテーブルを予め備える。そして、制御部２７は、ステップＳ１４において、サブ光学系２０の画角情報のテーブルに記録された画角情報に応じて、サブ光学系２０の画角を調整すれば良い。
【００４７】
また、画角情報のテーブルには、画角のデータが格納される例を示したが、これに限らない。例えば、撮像レンズ３１の焦点調節レンズおよびズームレンズの位置に対応する焦点距離など、メイン光学系３０の画角を算出可能なデータでも良い。この場合、ステップＳ１３において、制御部２７は、レンズ内蔵メモリ３３に記録した画角情報のテーブルから画角を算出可能なデータを読み出し、メイン光学系３０の画角を算出すれば良い。
【００４８】
第２実施形態の電子カメラによれば、第１実施形態の場合と同様の効果を得ることができる。特に、第２実施形態の電子カメラによれば、サブ光学系２０およびメイン光学系３０の少なくとも一方の焦点距離と画角との関係が非線形になる場合にも対応することができる。
【００４９】
（実施形態の補足）
なお、第１実施形態のステップＳ３において、レンズ内蔵メモリ３３に記録した交換レンズ鏡筒の種類に応じて、サブ光学系２０の焦点距離とメイン光学系３０の焦点距離との比率を変更する例を示したが、これに限らない。例えば、撮影シーンに応じて、比率を変更する構成にしても良い。例えば、風景モードの場合には、メイン光学系３０の画角が広い可能性が高いため、比率を小さくする。一方、ポートレートモードの場合には、比率を大きくする。また、操作部３９の操作釦を介して予めユーザから比率の指定を受け付ける構成にしても良い。また、第２実施形態においても、撮影シーンに応じて、サブ光学系２０の画角とメイン光学系３０の画角との比率を変更する構成にしても良いし、操作部３９の操作釦を介して予めユーザから比率の指定を受け付ける構成にしても良い。
【００５０】
また、第１実施形態および第２実施形態の電子カメラ１は、メイン光学系３０の画角をサブ光学系２０の画角よりも狭くする。そのため、サブ撮像素子２３の画素数をメイン撮像素子３４の画素数と同等以上にすることが好ましい。なお、サブ撮像素子２３とメイン撮像素子３４とのピクセルサイズが同じになるように、それぞれの画素数を設定しても良い。また、ＸＧＡ（eXtended Graphics Array）などパソコンのディスプレイ画面に合わせて、それぞれの画素数を制限しても良い。
【００５１】
また、第１実施形態および第２実施形態の電子カメラ１において、サブ光学系２０の光軸とメイン光学系３０の光軸とは、一致することが好ましいとしたが、一致しなくても良い。
【００５２】
また、第１実施形態のステップＳ３において、サブ光学系２０の焦点距離とメイン光学系３０の焦点距離との比率が所定の値になるように、サブ光学系２０の焦点距離を調節したが、これに限らない。例えば、メイン光学系３０の画角に対してサブ光学系２０の画角が二次関数的に広くなるように、サブ光学系２０の焦点距離を調節する構成にしても良い。また、第２実施形態のステップＳ１４においても同様の構成にしても良い。
【００５３】
また、第１実施形態のステップＳ７において、第１の本画像のデータと第２の本画像のデータとを記録媒体４１の別々のファイルに記録する例を示したが、これに限らない。例えば、第１の本画像のデータと第２の本画像のデータとを同じファイルに記録する構成にしても良い。また、第２実施形態のステップＳ１８においても同様の構成としても良い。
【００５４】
また、第１実施形態および第２実施形態の電子カメラ１において、サブ撮像素子２３により撮像した第１の本画像とメイン撮像素子３４により撮像した第２の本画像とを表示部３８に比較可能に表示するとともに、いずれかの本画像の選択をユーザから操作釦を介して受け付ける構成にしても良い。
【００５５】
また、第１実施形態および第２実施形態の電子カメラ１において、メイン光学系３０は、カメラボディ１０に取り外しが可能な交換レンズ鏡筒に備えられるとしたが、これに限らない。例えば、サブ光学系２０及びメイン光学系３０が交換レンズ鏡筒に備えられる構成にしても良いし、サブ光学系２０のみが交換レンズ鏡筒に備えられる構成にしても良い。
【００５６】
また、本発明の撮影装置の一例として電子カメラを用いて説明したが、その他のビデオカメラ、カメラ付きの携帯電話などにも本発明を同様に適用することができる。
【図面の簡単な説明】
【００５７】
【図１】第１実施形態の電子カメラの外観図である。
【図２】第１実施形態の電子カメラの構成を示すブロック図である。
【図３】メインカメラのレンズを望遠側にズームし、サブカメラのレンズを広角側に固定した場合に、それぞれのカメラにより得られた画像の例を示す図である。
【図４】第１実施形態の電子カメラ１における撮像時の制御部２７の動作を示すフローチャートである。
【図５】第１実施形態のサブ光学系２０およびメイン光学系３０の焦点距離変化の例を示す図である。
【図６】第１実施形態のサブ光学系２０およびメイン光学系３０の撮影範囲の例を示す図である。
【図７】第２実施形態の電子カメラ１における撮像時の制御部２７の動作を示すフローチャートである。
【図８】第２実施形態のサブ光学系２０およびメイン光学系３０の画角変化の例を示す図である。
【符号の説明】
【００５８】
１…電子カメラ、２０…サブ光学系、２１…撮像レンズ、２２…レンズ駆動部、２３…サブ撮像素子、２７…制御部、３０…メイン光学系、３１…撮像レンズ、３２…レンズ駆動部、３３…レンズ内蔵メモリ、３４…メイン撮像素子
【図１】
0005326345.tif 000002
【図２】
0005326345.tif 000003
【図３】
0005326345.tif 000004
【図４】
0005326345.tif 000005
【図５】
0005326345.tif 000006
【図６】
0005326345.tif 000007
【図７】
0005326345.tif 000008
【図８】
0005326345.tif 000009